(57)【要約】【課題】ネットワーク負荷を抑制しつつ、セルのトラフィックを効率的に分散することである。【解決手段】移動局１０は、トラフィック量測定部１２とパラメータ決定部１３と電波強度測定部１５と制御部１６とを有する。トラフィック量測定部１２は、在圏セルでのトラフィック量を測定する。パラメータ決定部１３は、トラフィック量測定部１２により測定されたトラフィック量に基づき、他のセルへ移動する条件を決定する。電波強度測定部１５は、上記在圏セル及び上記他のセルの電波強度を測定する。制御部１６は、電波強度測定部１５により測定された電波強度が、パラメータ決定部１３により決定された条件を満たす場合、上記在圏セルから上記他のセルへ移動する制御を行う。【選択図】図１
2014017622.tif 000002
【特許請求の範囲】
【請求項１】
在圏セルでのトラフィック量を測定する第１測定部と、
前記第１測定部により測定されたトラフィック量に基づき、他のセルへ移動する条件を決定する決定部と、
前記在圏セル及び前記他のセルの電波強度を測定する第２測定部と、
前記第２測定部により測定された電波強度が、前記決定部により決定された条件を満たす場合、前記在圏セルから前記他のセルへ移動する制御を行う制御部と
を有することを特徴とする移動局。
【請求項２】
前記決定部は、前記第１測定部により測定されたトラフィック量が多い程、移動局が前記在圏セルから前記他のセルへ移動し易くなる様に、前記他のセルへ移動する条件を決定することを特徴とする請求項１に記載の移動局。
【請求項３】
前記他のセルへ移動する条件を示す情報を、前記在圏セルの基地局から受信する受信部を更に有し、
前記決定部は、前記受信部により受信された前記情報を用いて、前記他のセルへ移動する条件を決定することを特徴とする請求項１に記載の移動局。
【請求項４】
移動局が、
在圏セルでのトラフィック量を測定し、
測定されたトラフィック量に基づき、他のセルへ移動する条件を決定し、
前記在圏セル及び前記他のセルの電波強度を測定し、
測定された前記電波強度が、決定された前記条件を満たす場合、前記在圏セルから前記他のセルへ移動する制御を行う
ことを特徴とする通信制御方法。
【発明の詳細な説明】
【技術分野】
【０００１】
本発明は、移動局、及び通信制御方法に関する。
【背景技術】
【０００２】
従来、無線通信システムにおいて、トラフィック量の増大に伴うネットワークの輻輳を回避するための様々な技術が知られている。例えば、ネットワーク（例えば、基地局）が、通信中の移動局のトラフィック量を監視し、所定値以上のトラフィック量を検知した場合に、ネットワークが、移動局の使用する通信帯域（チャネル）を変更したり、移動局からの発信を規制する制御を行う。あるいは、セルで通信中の移動局は、周辺基地局からの電波強度の測定結果と、ネットワークから通知された閾値とを比較し、電波強度が閾値を超える周辺基地局がある場合には、ネットワークからの指示に従い、該基地局のセルにハンドオーバする。あるいは、セルで待受け中の移動局が、周辺基地局からの電波強度の測定結果と、ネットワークからの報知情報に含まれる閾値とを比較し、電波強度が閾値を超える周辺基地局がある場合には、在圏セルから該基地局のセルに、待受けするセルを変更（セルリセレクション）する。
【先行技術文献】
【特許文献】
【０００３】
【特許文献１】特開２００３−９２０９号公報
【特許文献２】特開２００８−２８８６２７号公報
【特許文献３】特開２００８−１０４１９０号公報
【特許文献４】特開２００８−７２２９１号公報
【発明の概要】
【発明が解決しようとする課題】
【０００４】
しかしながら、上述した技術は、何れもネットワークが主体となって、移動局に対する制御を行うものであることから、ネットワーク側の処理負荷が高くなるという問題がある。特に、ネットワークに接続する移動局が多い時やネットワーク側に処理が集中している時には、ネットワーク負荷の増大は顕著となる。確かに、上述した従来の技術でも、ネットワークからの指示に従い、移動局がトラフィック量を測定し、測定結果をネットワーク側に報告することは可能である。しかしながら、報告後の処理は、ネットワークからの指示に従って実行されるため、従来技術によっては、ネットワークへの負荷は分散されず、ネットワーク側の処理を減らし、負荷を低減することは困難であった。例えば、ネットワークへの測定結果報告後の移動局の動作は、トラフィック量の大小に拘らず、ネットワークからの指示に従うため、移動局が自ら、トラフィック量に応じたハンドオーバ先のセルを決定することはできなかった。
【０００５】
開示の技術は、上記に鑑みてなされたものであって、ネットワーク負荷を抑制しつつ、セルのトラフィックを効率的に分散することのできる移動局、及び通信制御方法を提供することを目的とする。
【課題を解決するための手段】
【０００６】
上述した課題を解決し、目的を達成するために、本願の開示する移動局は、一つの態様において、第１測定部と決定部と第２測定部と制御部とを有する。前記第１測定部は、在圏セルでのトラフィック量を測定する。前記決定部は、前記第１測定部により測定されたトラフィック量に基づき、他のセルへ移動する条件を決定する。前記第２測定部は、前記在圏セル及び前記他のセルの電波強度を測定する。前記制御部は、前記第２測定部により測定された電波強度が、前記決定部により決定された条件を満たす場合、前記在圏セルから前記他のセルへ移動する制御を行う。
【発明の効果】
【０００７】
本願の開示する移動局の一つの態様によれば、ネットワーク負荷を抑制しつつ、セルのトラフィックを効率的に分散することができるという効果を奏する。
【図面の簡単な説明】
【０００８】
【図１】図１は、通信制御システムの機能的構成を示す図である。
【図２】図２は、実施例１に係る、セルＣ１での通信中の使用帯域に応じたセル検出パラメータの設定例を示す図である。
【図３】図３は、実施例１に係る、セルＣ２での通信中の使用帯域に応じたセル検出パラメータの設定例を示す図である。
【図４】図４は、移動局のハードウェア構成を示す図である。
【図５】図５は、各移動局がセルＣ１に在圏する場合にセル検出パラメータが可変制御される様子を説明するための図である。
【図６】図６は、実施例１に係る通信制御システムの動作を説明するためのシーケンス図である。
【図７】図７は、各移動局がセルＣ２に在圏する場合にセル検出パラメータが可変制御される様子を説明するための図である。
【図８】図８は、実施例２に係る、セルＣ１での待受中の使用実績に応じたセル検出パラメータの設定例を示す図である。
【図９】図９は、実施例２に係る、セルＣ２での待受中の使用実績に応じたセル検出パラメータの設定例を示す図である。
【図１０】図１０は、実施例２に係る通信制御システムの動作を説明するためのシーケンス図である。
【発明を実施するための形態】
【０００９】
以下に、本願の開示する移動局、及び通信制御方法の実施例を、図面を参照しながら詳細に説明する。なお、以下の実施例により本願の開示する移動局、及び通信制御方法が限定されるものではない。
【実施例１】
【００１０】
以下、本願の開示する一実施例に係る通信制御システムの構成を説明する。図１は、通信制御システム１の機能的構成を示す図である。図１に示す様に、通信制御システム１は、移動局１０と基地局２０とを有する。移動局１０は、異なる複数の無線通信方式（例えば、３Ｇ（Third  Generation）、Long  Term  Evolution（ＬＴＥ）、無線Local  Area  Network（ＬＡＮ）等）に対応した無線通信端末である。移動局１０は、通信部１１とトラフィック量測定部１２とパラメータ決定部１３とパラメータ保持部１４と電波強度測定部１５と制御部１６とを有する。これら各構成部分は、一方向又は双方向に、信号やデータの入出力が可能な様に接続されている。
【００１１】
通信部１１は、移動局１０が基地局２０のセルに入圏したことに伴い、基地局２０のセル検出パラメータを受信する。トラフィック量測定部１２は、在圏中の基地局２０のセルでのトラフィック量を測定する。トラフィック量は、例えば、移動局１０が単位時間当たりに基地局２０との間で送受信したパケット量（単位はbits  per  second）であるが、必ずしも１秒単位の値でなくてもよく、過去（例えば、１分〜１時間）の平均値であってもよい。また、このパケット量の単位は、セル検出パラメータの一つとして、基地局２０から移動局１０に通知してもよい。パラメータ決定部１３は、後述するパラメータ保持部１４を参照し、トラフィック量測定部１２により測定されたトラフィック量に基づき、他のセルへ移動する条件の設定されたセル検出パラメータを決定する。
【００１２】
パラメータ保持部１４は、移動局１０がハンドオーバを実行するか否かを判定するための条件として、セル検出パラメータをユーザレベル毎に保持する。図２は、実施例１に係る、セルＣ１での通信中の使用帯域に応じたセル検出パラメータの設定例を示す図である。ここで、セルＣ１は、移動局１０のハンドオーバ前の在圏セルである。図２に示す様に、セル検出パラメータ１４１には、４段階のユーザレベルＬ１〜Ｌ４に合わせて、現在のトラフィック量を表す「通信中の使用帯域」が設定されている。そして、トラフィック量が多い程、現在のセルＣ１から他のセルＣ２へハンドオーバがし易くなる様に、通信中の使用帯域毎に、セル検出パラメータが設定されている。
【００１３】
具体的には、通信中の使用帯域が“１Ｍｂｐｓ未満”である場合には、セル検出パラメータは、“セルＣ２の測定は実行しない”に設定されているため、移動局１０がハンドオーバすることはない。また、通信中の使用帯域が“１Ｍｂｐｓ以上５Ｍｂｐｓ未満”である場合には、移動局１０は、“セルＣ２の電波強度が閾値Ｔ２を超え、かつ、セルＣ１の電波強度が閾値Ｔ１を下回った場合に、ネットワークに電波強度の測定結果を報告”する。該報告を受けたネットワーク側では、基地局２０は、測定結果の受信を契機として、セルＣ２へのハンドオーバを移動局１０に指示する。閾値Ｔ２は、例えば、−１００ｄＢｍであり、閾値Ｔ１は、例えば、−１２０ｄＢｍである。この様に、通信中の使用帯域が“１Ｍｂｐｓ以上５Ｍｂｐｓ未満”の場合には、セル検出パラメータとして、ハンドオーバの起こり難い条件が設定されている。
【００１４】
これに対し、通信中の使用帯域が“５Ｍｂｐｓ以上１０Ｍｂｐｓ未満”である場合には、移動局１０は、“セルＣ２の電波強度が閾値Ｔ３を超えた場合に、ネットワークに電波強度の測定結果を報告”する。該報告を受けたネットワーク側では、基地局２０は、上記測定結果の受信を契機として、セルＣ２へのハンドオーバを移動局１０に指示する。閾値Ｔ３は、例えば、−１２０ｄＢｍである。この様に、通信中の使用帯域が“５Ｍｂｐｓ以上１０Ｍｂｐｓ未満”の場合には、セル検出パラメータとして、ハンドオーバの起こり易い条件が設定されている。更に、通信中の使用帯域が“１０Ｍｂｐｓ以上”である場合には、移動局１０は、収容量に余裕のある“別の通信方式のセルＣ３の電波強度を測定し、該測定値が閾値Ｔ４を超える場合には、その通信方式への切替えを実行”する。閾値Ｔ４は、例えば、−１２０ｄＢｍである。この様に、通信中の使用帯域が“１０Ｍｂｐｓ以上”の場合には、トラフィック量が極めて大きいため、移動局１０は、他の無線通信方式（例えば、無線ＬＡＮ）による通信を試行することとなる。
【００１５】
図２に示したセル検出パラメータの設定例は、通信制御システム１が、セルＣ１にて通信中のユーザの内、使用帯域の少ないユーザをできる限りセルＣ１内に留めると共に、使用帯域の多いユーザをできる限りセルＣ２や他の通信方式に移動させたい場合に好適である。例えば、かかる設定例は、セルＣ１の通信エリア（カバレッジ）は大きいが収容可能な帯域が少なく、かつ、セルＣ１のエリア内に、収容帯域の多い別のセル（セルＣ２）が存在する場合に使用される。また、ネットワーク負荷の変動やセル配置の変更等に起因して、例えば、セルＣ２が過負荷となった場合には、セルＣ２へのハンドオーバが起こり難くする（ユーザをセルＣ１に留まり易くする）等、上記設定例は、随時変更可能である。
【００１６】
図３は、実施例１に係る、セルＣ２での通信中の使用帯域に応じたセル検出パラメータの設定例を示す図である。ここで、セルＣ２は、移動局１０のハンドオーバ後の移動先セルである。図３に示す様に、セル検出パラメータ１４２は、図２と同様の構成を採るが、セル検出パラメータ１４１とは異なり、トラフィック量が多い程、現在のセルＣ２から他のセルＣ１へハンドオーバがし難くなる様に、通信中の使用帯域毎に、セル検出パラメータが設定されている。
【００１７】
具体的には、通信中の使用帯域が“１Ｍｂｐｓ未満”である場合には、セル検出パラメータは、移動局１０は、“セルＣ１の電波強度が閾値Ｔ５を超えた場合に、ネットワークに電波強度の測定結果を報告”する。該報告を受けたネットワーク側では、基地局２０は、上記測定結果の受信を契機として、セルＣ１へのハンドオーバを移動局１０に指示する。閾値Ｔ５は、例えば、−１２０ｄＢｍである。この様に、通信中の使用帯域が“１Ｍｂｐｓ未満”の場合には、セル検出パラメータとして、ハンドオーバの起こり易い条件が設定されている。また、通信中の使用帯域が“１Ｍｂｐｓ以上５Ｍｂｐｓ未満”である場合には、移動局１０は、“セルＣ１の電波強度が閾値Ｔ６を超え、かつ、セルＣ２の電波強度が閾値Ｔ７を下回った場合に初めて、ネットワークに電波強度の測定結果を報告”する。該報告を受けたネットワーク側では、基地局２０は、測定結果の受信を契機として、セルＣ１へのハンドオーバを移動局１０に指示する。閾値Ｔ６は、例えば、−１２０ｄＢｍであり、閾値Ｔ７は、例えば、−１００ｄＢｍである。この様に、通信中の使用帯域が“１Ｍｂｐｓ以上５Ｍｂｐｓ未満”の場合には、セル検出パラメータとして、ユーザレベルＬ１よりもハンドオーバの起こり難い条件が設定されている。
【００１８】
更に、通信中の使用帯域が“５Ｍｂｐｓ以上１０Ｍｂｐｓ未満”である場合には、移動局１０は、“セルＣ２の電波強度が閾値Ｔ８を下回った場合に、ネットワークに電波強度の測定結果を報告”する。なお、このとき移動局１０は、セルＣ１の電波強度を測定しないため、基地局２０は、上記測定結果の受信を契機として、移動局１０に対し、セルＣ１へのブラインドハンドオーバを指示することとなる。閾値Ｔ８は、例えば、−１２０ｄＢｍである。この様に、通信中の使用帯域が“５Ｍｂｐｓ以上１０Ｍｂｐｓ未満”の場合には、セル検出パラメータとして、ユーザレベルＬ２よりも更にハンドオーバの起こり難い条件が設定されている。そして、通信中の使用帯域が“１０Ｍｂｐｓ以上”である場合には、移動局１０は、収容量に余裕のある“別の通信方式のセルＣ３の電波強度を測定し、該測定値が閾値Ｔ９を超える場合には、その通信方式への切替えを実行”する。閾値Ｔ９は、例えば、−１２０ｄＢｍである。この様に、通信中の使用帯域が“１０Ｍｂｐｓ以上”の場合には、トラフィック量が極めて大きいため、移動局１０は、他の無線通信方式（例えば、無線ＬＡＮ）による通信を試行することが望ましい。
【００１９】
図３に示したセル検出パラメータの設定例は、通信制御システム１が、セルＣ２にて通信中のユーザの内、使用帯域の多いユーザをできる限りセルＣ２内に留める、若しくは他の通信方式に移動させると共に、使用帯域の少ないユーザをできる限りセルＣ１に移動させたい場合に好適である。かかる設定例は、ネットワーク負荷の変動やセル配置の変更等に起因して、例えば、セルＣ２が過負荷となった場合には、セルＣ１へのハンドオーバが起こり易くする（ユーザをセルＣ２に留まり難くする）等、随時変更可能である。
【００２０】
電波強度測定部１５は、移動局１０の在圏セルと周辺セルとの電波強度を測定する。電波強度は、例えば、Received  Signal  Strength  Indication（ＲＳＳＩ）であるが、電波強度の代わりに、受信レベルを表すChannel  Quality  Indicator（ＣＱＩ）等のChannel  State  Information（ＣＳＩ）値、あるいは、電波状態を表すSignal  to  Interference  Ratio（ＳＩＲ）値、Signal-to-Interference  plus  Noise  power  Ratio（ＳＩＮＲ）値等を用いてもよい。制御部１６は、電波強度測定部１５により測定された電波強度が、パラメータ決定部１３により決定された条件を満たす場合、上記在圏セルから上記周辺セルへ移動局１０を移動させる制御を行う。
【００２１】
図１に戻り、基地局２０は、制御部２１と通信部２２とパラメータ管理部２３とを有する。これら各構成部分は、一方向又は双方向に、信号やデータの入出力が可能な様に接続されている。制御部２１は、電波強度の測定結果の受信を検知すると、移動局１０を在圏セルから周辺セルにハンドオーバさせる制御を行う。通信部２２は、電波強度の測定結果を移動局１０から受信すると共に、該受信を契機として、ハンドオーバを指示する信号を移動局１０宛に送信する。パラメータ管理部２３は、上述したセル検出パラメータを生成して保持し、基地局２０のセルへの移動局１０の入圏に伴い、移動局１０に対するセル検出パラメータの送信を通信部２２に指示する。なお、セル検出パラメータは、基地局２０を含む複数の基地局が、各セル単位で保持しているデータであり、各セルの通信負荷、配置、大きさ、通信状況等に応じて、ネットワーク側で適宜設定及び変更が可能である。
【００２２】
図４は、移動局１０のハードウェア構成を示す図である。図４に示す様に、移動局１０は、ハードウェア的には、プロセッサ１０ａと、メモリ１０ｂと、Radio  Frequency（ＲＦ）回路１０ｃと、Liquid  Crystal  Display（ＬＣＤ）等の表示装置１０ｄとを有する。ＲＦ回路１０ｃは、アンテナＡを有する。移動局１０の通信部１１は、例えば、ＲＦ回路１０ｃにより実現される。トラフィック量測定部１２とパラメータ決定部１３と電波強度測定部１５と制御部１６とは、例えば、Central  Processing  Unit（ＣＰＵ）やDigital  Signal  Processor（ＤＳＰ）等のプロセッサ１０ａにより実現される。パラメータ保持部１４は、例えば、Random  Access  Memory（ＲＡＭ)、Read  Only  Memory（ＲＯＭ)、フラッシュメモリ等のメモリ１０ｂにより実現される。
【００２３】
以上、移動局１０の構成を代表的に説明したが、他の移動局３０、４０、５０の構成は、移動局１０の構成と同様である。したがって、共通する構成要素には、末尾が同一の参照符号を用いると共に、その図示及び詳細な説明は省略する。基地局についても同様に、基地局２０の構成を代表的に説明したが、他の基地局６０、７０の構成は、基地局２０の構成と同様である。したがって、共通する構成要素には、末尾が同一の参照符号を用いると共に、その図示及び詳細な説明は省略する。
【００２４】
次に、図５〜図７を参照しながら、実施例１に係る通信制御システム１の動作を説明する。動作説明の前提として、セルＣ１を形成する基地局２０は、３Ｇの無線通信方式を採用し、セルＣ２を形成する基地局６０は、３Ｇより大容量かつ高速の通信が可能なＬＴＥの無線通信方式を採用する。更に、基地局７０は、無線ＬＡＮのアクセスポイントであり、自局の周辺に、狭域ではあるが、高速かつ大容量の通信が可能なセルＣ３を形成する。
【００２５】
図５は、各移動局１０、３０、４０、５０がセルＣ１に在圏する場合にセル検出パラメータが可変制御される様子を説明するための図である。本実施例では、図５に示す様に、各移動局１０、３０、４０、５０がセルＣ１（ドット部分）に属し、それぞれ１Ｍｂｐｓ未満、１〜５Ｍｂｐｓ、５〜１０Ｍｂｐｓ、１０Ｍｂｐｓ以上のトラフィック帯域を使用して、３Ｇ基地局２０との間で通信を行っている状況（図６のＳ１）を想定する。セルＣ１には、セルＣ１よりも通信エリアは狭いが大容量のセルＣ２（斜線部分）が重なる様に配置されているため、各移動局１０、３０、４０、５０は、セルＣ１内に在圏する状態で、セルＣ１からセルＣ２へのハンドオーバが可能である。
【００２６】
図６は、実施例１に係る通信制御システム１の動作を説明するためのシーケンス図である。Ｓ２では、基地局２０の通信部２２は、個別メッセージにより、セルＣ１及び周辺セルＣ２の電波強度の測定を移動局１０に要求する測定要求信号を、移動局１０宛に送信する。この測定要求信号には、パラメータ管理部２３により管理され、ユーザレベルと通信中の使用帯域とに対応付けられたセル検出パラメータ（図２、図３参照）が含まれる。
【００２７】
Ｓ３では、移動局１０は、通信部１１により上記測定要求信号を受信すると、トラフィック量測定部１２により、現在通信中のユーザデータの使用帯域を測定する。Ｓ４では、移動局１０のパラメータ決定部１３は、Ｓ２で受信されたセル検出パラメータを参照し、Ｓ３で測定された使用帯域から、自局のユーザレベルを特定する。例えば、Ｓ３において、通信中の移動局１０が現在までの１時間以内に使用している帯域が６Ｍｂｐｓと測定された場合、６Ｍｂｐｓは５〜１０Ｍｂｐｓに該当するため、ユーザレベルはＬ３に特定される（図２参照）。
【００２８】
Ｓ５では、移動局１０のパラメータ決定部１３は、Ｓ４で特定されたユーザレベルに応じて、セル検出パラメータを決定した後、該セル検出パラメータ上に設定されている条件に従い、在圏セルＣ１及び周辺セルＣ２の電波強度を測定する。その後、移動局１０は、在圏セルＣ１と重なり合う周辺セルＣ２のエリアに移動したことに伴い、制御部１６により、電波強度の測定結果の報告の要否を判定する（Ｓ６）。図７は、各移動局がセルＣ２に在圏する場合にセル検出パラメータが可変制御される様子を説明するための図である。Ｓ６における判定の結果、上記測定結果の基地局２０への報告が必要である場合（Ｓ６；Ｙｅｓ）、移動局１０の通信部１１は、図７に示す様に、基地局２０に対して、電波強度の測定結果を報告する（Ｓ７）。なお、Ｓ６において、上記測定結果の基地局２０への報告が不要と判定された場合（Ｓ６；Ｎｏ）には、上述のＳ３に戻り、移動局１０は、Ｓ３以降の処理を再び実行する。
【００２９】
上記測定結果の報告を受けた基地局２０の制御部２１は、在圏セルＣ１及び周辺セルＣ２の電波強度を基に、各移動局のハンドオーバの要否を判定し（Ｓ８）、ハンドオーバの実行が決定された移動局に対して、ハンドオーバを指示する（Ｓ９）。そして、ハンドオーバを指示された移動局と基地局２０との間で、ハンドオーバ処理が実行される（Ｓ１０）。本実施例では、図２を参照して上述した様に、図５、図７の移動局１０、３０、４０、５０の内、移動局３０、４０がハンドオーバを実行することとなる。
【００３０】
なお、移動局１０、５０に関しては、セル検出パラメータは、セルＣ２の電波強度の測定自体を行わない設定となっているため、セルＣ２は検出されず、基地局２０に上記測定結果が報告されることはない。したがって、移動局１０、５０によるセルＣ２へのハンドオーバは実行されない。特に、移動局１０は、セルＣ２のエリアに移動しても、セルＣ２へハンドオーバすることなく、基地局２０との通信を継続する。そして、移動局１０の制御部１６は、別の無線通信方式である無線ＬＡＮのセルＣ３を検出次第、現在通信中の基地局２０への測定報告を行うことなく、３Ｇから無線ＬＡＮへの通信方式の切替えを行う。
【００３１】
以上、移動局がセルＣ１に在圏する場合における、セル検出パラメータの可変制御について説明したが、移動局がセルＣ２に在圏する場合にも、同様の処理が実行される。すなわち、移動局１０、３０、４０、５０は、セルＣ２へのハンドオーバに伴い、パラメータ保持部１４、３４、４４、５４に保持されていた従前のセル検出パラメータ１４１（図２参照）を破棄し、ハンドオーバ先の基地局６０から取得されたセル検出パラメータ１４２（図３参照）を保持する。各移動局１０、３０、４０、５０は、在圏セルＣ２において、セル検出パラメータ１４２に設定されている条件に従い、必要に応じて、基地局６０に対する上記測定結果の報告を行う。該報告後、各移動局１０、３０、４０、５０は、ハンドオーバの実行指示を待機し、基地局６０から指示信号を受信すると、周辺セルへのハンドオーバを実行する。これにより、各移動局１０、３０、４０、５０の移動先のセルは、そのトラフィック状況に適応する様に、セル検出パラメータにより、柔軟かつ木目細やかに可変制御される。その結果、ネットワーク負荷を増大させることなく、セルのトラフィックを効率的に分散することが可能となる。
【００３２】
以上説明した様に、本実施例に係る移動局１０は、トラフィック量測定部１２とパラメータ決定部１３と電波強度測定部１５と制御部１６とを有する。トラフィック量測定部１２は、在圏セルＣ１でのトラフィック量を測定する。パラメータ決定部１３は、トラフィック量測定部１２により測定されたトラフィック量に基づき、他のセルＣ２へ移動する条件（セル検出パラメータ）を決定する。電波強度測定部１５は、在圏セルＣ１及び他のセルＣ２の電波強度を測定する。制御部１６は、電波強度測定部１５により測定された電波強度が、パラメータ決定部１３により決定された条件を満たす場合、在圏セルＣ１から他のセルＣ２へ移動する制御を行う。
【００３３】
移動局１０において好ましくは、パラメータ決定部１３は、トラフィック量測定部１２により測定されたトラフィック量が多い程、移動局１０が在圏セルＣ１から他のセルＣ２へ移動し易くなる様に、上記他のセルへ移動する条件（セル検出パラメータ）を決定する。すなわち、パラメータ決定部１３は、上記トラフィック量が少ない程、移動局１０が在圏セルＣ１から他のセルＣ２へ移動し難くなる様に、他のセルＣ２へ移動する条件を決定することが好ましい。これにより、トラフィック量の多い移動局が優先的にセルＣ１外に移動することとなる。その結果、セルＣ１でのトラフィックが緩和される。
【００３４】
移動局１０は、他のセルＣ２へ移動する条件（セル検出パラメータ）を示す情報を、在圏セルＣ１の基地局２０から受信する通信部１１を更に有し、パラメータ決定部１３は、通信部１１により受信された上記情報を用いて、他のセルＣ２へ移動する条件を決定することが好ましい。これにより、上記情報を介した、ネットワーク側からのトラフィック制御が可能となる。したがって、通信制御システム１は、各セルＣ１、Ｃ２の通信負荷、配置、大きさ、通信状況等の変化に、迅速かつ容易に対応することができる。
【００３５】
上述した様に、実施例１に係る移動局１０は、移動局１０の使用するリアルタイムなトラフィックの量に応じて、周辺セルへのハンドオーバを決定する条件を自律的に変更し、基地局２０に対して、周辺セルの電波強度の測定結果を報告する。基地局２０は、該報告を契機として、移動局１０を別のセルに迅速に移動させることができるので、ネットワークへの負荷を抑えつつ、トラフィックの分散を効率的に行うことが可能となる。すなわち、移動局１０は、現在の通信におけるトラフィック使用状況に依存して、周辺セルを測定する際に用いるパラメータを可変させ、移動局１０での周辺セル検出条件（電波強度の測定結果の報告条件）を変更する。
【００３６】
換言すれば、移動局１０は、基地局２０から事前に取得したセル検出パラメータ（図２、図３）を参照し、在圏セルでのトラフィック量に応じて、電波測定によるセル検出処理の内容を可変的に決定する。ネットワーク側の基地局２０は、移動局１０からの電波強度測定結果の報告に基づいてハンドオーバの要否を判断し、必要であれば、移動局１０に対してハンドオーバを指示するだけで足りる。したがって、移動局１０は、ネットワーク側の負荷を増大させることなく、トラフィックを効率的に分散することができる。その結果、トラフィックの特定のセル（例えば、セルＣ１）への集中による輻輳が回避される。
【００３７】
実施例１に係る通信制御システム１によれば、セルのトラフィック量に基づいた、在圏セルの木目細やかな制御が可能となる。例えば、セルＣ１と比較してセルＣ２の収容可能なトラフィック容量が大きい場合、通信制御システム１は、通信リソースを効率的に各移動局に割り当てる観点から、極力、トラフィック量の多い移動局をセルＣ２に移動させることが望ましい。また、同様の観点から、通信制御システム１は、トラフィック量の少ない移動局をセルＣ１に集中させることが望ましい。そこで、移動局１０がセルＣ１に在圏する場合には、通信制御システム１は、セルＣ１でのトラフィック量が多い程、ハンドオーバを実行するための周辺セル検出条件を緩和することにより、セルＣ２へのハンドオーバを促す。反対に、移動局１０がセルＣ２に在圏する場合には、通信制御システム１は、セルＣ２でのトラフィック量が少ない程、ハンドオーバを実行するための周辺セル検出条件を緩和することにより、セルＣ１へのハンドオーバを促す。これにより、トラフィック量の少ない移動局が小容量のセルＣ１に留まり易く、トラフィック量の多い移動局が大容量のセルＣ２に留まり易くなる。したがって、セルの収容容量に合う様に、セルのトラフィックが分散される。その結果、ネットワーク管理の効率性やユーザ利便性を考慮に入れた、移動局の在圏セル管理が実現される。
【実施例２】
【００３８】
次に、実施例２について説明する。実施例２における通信制御システムの構成は、図１に示した実施例１における通信制御システム１の構成と同様である。したがって、共通する構成要素には、同一の符号を付すと共に、その図示及び詳細な説明は省略する。実施例２が実施例１と異なる点は、移動局の通信状態である。すなわち、実施例１では、通信中の移動局に対する移動制御について説明したが、実施例２では、待受中の移動局に対する移動制御について説明する。以下においては、セルＣ１での待受中の使用実績（過去のトラフィック量）に応じたセル検出パラメータの可変的設定について、図８〜図１０を参照しながら、実施例１との相違点を中心として説明する。
【００３９】
図８は、実施例２に係る、セルＣ１での待受中の使用実績に応じたセル検出パラメータの設定例を示す図である。ここで、セルＣ１は、移動局１０のセルリセレクション前の在圏セルである。図８に示す様に、セル検出パラメータ１４３には、４段階のユーザレベルＬ１〜Ｌ４に合わせて、過去のトラフィック量を表す「待受中の使用実績」が設定されている。そして、トラフィック量が多い程、現在のセルＣ１から他のセルＣ２へのセルリセレクションが起き易くなる様に、待受中の使用実績毎に、セル検出パラメータが設定されている。
【００４０】
具体的には、待受中の使用実績が“１Ｍｂｐｓ未満”である場合には、セル検出パラメータは、“セルＣ２での待受けを禁止”に設定されているため、移動局１０がセルリセレクションを実行することはない。また、待受中の使用実績が“１Ｍｂｐｓ以上５Ｍｂｐｓ未満”である場合には、移動局１０は、“セルＣ２の電波強度が閾値Ｔ１１を超え、かつ、セルＣ１の電波強度が閾値Ｔ１０を下回った場合に、セルＣ２に対しセルリセレクションを実行”する。閾値Ｔ１１は、例えば、−１００ｄＢｍであり、閾値Ｔ１０は、例えば、−１２０ｄＢｍである。この様に、待受中の使用実績が“１Ｍｂｐｓ以上５Ｍｂｐｓ未満”の場合には、セル検出パラメータとして、セルリセレクションの起こり難い条件が設定されている。
【００４１】
これに対し、待受中の使用実績が“５Ｍｂｐｓ以上１０Ｍｂｐｓ未満”である場合には、移動局１０は、“セルＣ２の電波強度が閾値Ｔ１２を超えた場合に、セルＣ２に対しセルリセレクションを実行”する。閾値Ｔ１２は、例えば、−１２０ｄＢｍである。この様に、通信中の使用帯域が“５Ｍｂｐｓ以上１０Ｍｂｐｓ未満”の場合には、セル検出パラメータとして、セルリセレクションの起こり易い条件が設定されている。更に、待受中の使用実績が“１０Ｍｂｐｓ以上”である場合には、移動局１０は、収容量に余裕のある“別の通信方式のセルＣ３の電波強度を測定し、該測定値が閾値Ｔ１３を超える場合には、その通信方式への切替えを実行”する。閾値Ｔ１３は、例えば、−１２０ｄＢｍである。この様に、待受中の使用実績が“１０Ｍｂｐｓ以上”の場合には、トラフィック量が極めて大きいため、移動局１０は、他の無線通信方式（例えば、無線ＬＡＮ）による通信を試行することとなる。
【００４２】
図８に示したセル検出パラメータの設定例は、通信制御システム１が、セルＣ１にて待受中のユーザの内、使用実績の低いユーザをできる限りセルＣ１内に留めると共に、使用実績の高いユーザを、できる限りセルＣ２や他の通信方式で待受けさせたい場合に好適である。例えば、かかる設定例は、セルＣ１の通信エリアは大きいが収容可能な帯域が少なく、かつ、セルＣ１のエリア内に、収容帯域の多い別のセル（セルＣ２）が存在する場合に使用される。また、ネットワーク負荷の変動やセル配置の変更等に起因して、例えば、セルＣ２が過負荷となった場合には、セルＣ２へのセルリセレクションが起こり難くする（ユーザをセルＣ１に留まり易くする）等、上記設定例は、随時変更可能である。
【００４３】
図９は、実施例２に係る、セルＣ２での待受中の使用実績に応じたセル検出パラメータの設定例を示す図である。ここで、セルＣ２は、移動局１０のリセレクション後の移動先セルである。図９に示す様に、セル検出パラメータ１４４は、図８と同様の構成を採るが、セル検出パラメータ１４３とは異なり、トラフィック量が多い程、現在のセルＣ２から他のセルＣ１へのセルリセレクションが起き難くなる様に、待受中の使用実績毎に、セル検出パラメータが設定されている。
【００４４】
具体的には、待受中の使用実績が“１Ｍｂｐｓ未満”である場合には、移動局１０は、“セルＣ１の電波強度が閾値Ｔ１４を超えた場合に、セルＣ１に対しセルリセレクションを実行”する。閾値Ｔ１４は、例えば、−１２０ｄＢｍである。この様に、待受中の使用実績が“１Ｍｂｐｓ未満”の場合には、セル検出パラメータとして、セルＣ１へのセルリセレクションが最も起こり易い条件が設定されている。
【００４５】
また、待受中の使用実績が“１Ｍｂｐｓ以上５Ｍｂｐｓ未満”である場合には、移動局１０は、“セルＣ１の電波強度が閾値Ｔ１５を超え、かつ、セルＣ２の電波強度が閾値Ｔ１６を下回った場合に、セルＣ１に対しセルリセレクションを実行”する。更に、待受中の使用実績が“５Ｍｂｐｓ以上１０Ｍｂｐｓ未満”である場合には、移動局１０は、“セルＣ１の電波強度が閾値Ｔ１７を超え、かつ、セルＣ２の電波強度が閾値Ｔ１８を下回った場合に、セルＣ１に対しセルリセレクションを実行”する。これらのセル検出パラメータには、何れも同様の条件が設定されているが、各閾値の大小関係を「閾値Ｔ１５＜閾値Ｔ１７  かつ  閾値Ｔ１６＞閾値Ｔ１８」とすることで、待受中の使用実績が高い程、セルＣ１へのセルリセレクションが起き難い設定となる。具体的には、閾値Ｔ１５は、例えば、−１２０ｄＢｍであり、閾値Ｔ１７は、例えば、−１１０ｄＢｍである。また、閾値Ｔ１６は、例えば、−９０ｄＢｍであり、閾値Ｔ１８は、例えば、−１００ｄＢｍである。この様に、待受中の使用実績が“５Ｍｂｐｓ以上１０Ｍｂｐｓ未満”の場合には、セル検出パラメータとして、ユーザレベルＬ２よりも更にセルリセレクションの起こり難い条件が設定されている。
【００４６】
そして、待受中の使用実績が“１０Ｍｂｐｓ以上”である場合には、移動局１０は、収容量に余裕のある“別の通信方式のセルＣ３の電波強度を測定し、該測定値が閾値Ｔ１９を超える場合には、その通信方式への切替えを実行”する。閾値Ｔ１９は、例えば、−１２０ｄＢｍである。この様に、待受中の使用実績が“１０Ｍｂｐｓ以上”の場合には、トラフィック量が極めて大きいため、移動局１０は、他の無線通信方式（例えば、無線ＬＡＮ）による通信を試行することが望ましい。
【００４７】
図９に示したセル検出パラメータの設定例は、通信制御システム１が、セルＣ２にて待受中のユーザの内、使用実績の高いユーザをできる限りセルＣ２内に留める、若しくは他の通信方式にて待受けさせると共に、使用実績の低いユーザをできる限りセルＣ１にて待受けさせたい場合に好適である。かかる設定例は、ネットワーク負荷の変動やセル配置の変更等に起因して、例えば、セルＣ２が過負荷となった場合には、セルＣ１に対するセルリセレクションが起こり易くする（ユーザをセルＣ２に留まり難くする）等、随時変更可能である。
【００４８】
図１０は、実施例２に係る通信制御システム１の動作を説明するためのシーケンス図である。図１０は、実施例１に係る動作の説明において参照した図６と、同様の処理を含むことから、共通するステップには、末尾が同一の参照符号を付すと共に、その詳細な説明は省略する。具体的には、図１０のステップＴ１、Ｔ２、Ｔ４〜Ｔ６、及びＴ１０の各処理は、図６に示したステップＳ１、Ｓ２、Ｓ４〜Ｓ６、及びＳ１０の各処理にそれぞれ対応する。
【００４９】
まず、Ｔ０では、移動局１０は、過去のデータ通信の実績を「待受中の使用実績」として保持する。過去のデータ通信の実績は、例えば、昨日の平均の通信実績をbits  per  second（ｂｐｓ）に換算した値であるが、平均は、移動平均、固定平均の何れでもよい。また、過去のデータ通信の実績は、必ずしも過去の全日（２４時間）の平均値である必要は無く、実際にパケット通信が行われた時間内の平均値であってもよい。更に、過去のデータ通信の実績は、１日の平均値である必要は無く、特定の時間帯（例えば、１３〜１８時）における平均値や複数日分（例えば、１週間）の平均値であってもよい。
【００５０】
実施例２では、１Ｍｂｐｓ未満、１〜５Ｍｂｐｓ、５〜１０Ｍｂｐｓ、１０Ｍｂｐｓ以上のトラフィック帯域をそれぞれ使用した各移動局１０、３０、４０、５０が、セルＣ１内で待受けを行っている状況を想定する（Ｔ１）。セルＣ１には、セルＣ１よりも通信エリアは狭いが大容量のセルＣ２が重なる様に配置されているため、各移動局１０、３０、４０、５０は、セルＣ１内に在圏する状態で、セルＣ２に対するセルリセレクションが可能である。
【００５１】
Ｔ２では、基地局２０の通信部２２は、報知情報により、セルＣ１及び周辺セルＣ２の電波強度の測定を移動局１０に要求する測定要求信号を、移動局１０宛に送信する。この測定要求信号には、パラメータ管理部２３により管理され、ユーザレベルと通信中の使用帯域とに対応付けられたセル検出パラメータ（図８、図９参照）が含まれる。上記報知情報は、基地局２０からマルチキャストまたはブロードキャスト送信される。
【００５２】
Ｔ４では、移動局１０のパラメータ決定部１３は、Ｔ２で受信されたセル検出パラメータを参照し、Ｔ０で保持された使用実績から、自局のユーザレベルを特定する。例えば、Ｔ０において、待受中の移動局１０が過去１日に使用した帯域の平均値として“３Ｍｂｐｓ”が保持された場合、３Ｍｂｐｓは１〜５Ｍｂｐｓに該当するため、ユーザレベルはＬ２に特定される（図８参照）。
【００５３】
Ｔ５では、移動局１０のパラメータ決定部１３は、Ｔ４で特定されたユーザレベルに応じて、セル検出パラメータを決定した後、該セル検出パラメータ上に設定されている条件に従い、在圏セルＣ１及び周辺セルＣ２の電波強度を測定する。その後、移動局１０は、在圏セルＣ１と重なり合う周辺セルＣ２のエリアに移動したことに伴い、制御部１６により、セルリセレクションの実行の要否を判定する（Ｔ６）。セルリセレクションの要否は、セル検出パラメータに設定されている条件に従って判定される。再び図８を参照すると、例えば、待受中の移動局のユーザレベルが“Ｌ２”または“Ｌ３”である場合は、セルリセレクションが必要である場合（Ｔ６；Ｙｅｓ）に該当する。したがって、セル検出パラメータの条件が満たされた場合、移動局１０の制御部１６は、基地局２０との間で、セルリセレクションを実行する（Ｔ１０）。なお、Ｔ６において、セルリセレクションが不要と判定された場合（Ｔ６；Ｎｏ）には、上記Ｔ４に戻り、移動局１０は、Ｔ４以降の処理を再び実行する。
【００５４】
本実施例では、図８を参照して上述した様に、図５、図７の移動局１０、３０、４０、５０の内、移動局３０、４０がセルリセレクションを実行することとなる。なお、移動局１０、５０に関しては、セル検出パラメータは、セルＣ２の電波強度の測定自体を行わない設定となっているため、セルＣ２は検出されず、基地局２０に上記測定結果が報告されることはない。したがって、移動局１０、５０によるセルＣ２へのセルリセレクションは実行されない。特に、移動局１０は、セルＣ２のエリアに移動しても、セルＣ２に対するセルリセレクションを行うことなく、基地局２０との通信を継続する。そして、移動局１０の制御部１６は、別の無線通信方式である無線ＬＡＮのセルＣ３を検出次第、セルＣ１、Ｃ２の電波強度に拘らず、３Ｇから無線ＬＡＮへの通信方式の切替えを行う。
【００５５】
以上、移動局がセルＣ１に在圏する場合における、セル検出パラメータの可変制御について説明したが、移動局がセルＣ２に在圏する場合にも、同様の処理が実行される。すなわち、移動局１０、３０、４０、５０は、セルＣ２に対するセルリセレクションに伴い、パラメータ保持部１４、３４、４４、５４に保持されていた従前のセル検出パラメータ１４３（図８参照）を破棄し、セルリセレクション後の基地局６０から取得されたセル検出パラメータ１４４（図９参照）を保持する。各移動局１０、３０、４０、５０は、在圏セルＣ２において、セル検出パラメータ１４４に設定されている条件に従い、必要に応じて、基地局６０に対するセルリセレクションを実行する。これにより、各移動局１０、３０、４０、５０の移動先のセルは、そのトラフィック状況に適応する様に、セル検出パラメータにより、柔軟かつ木目細やかに可変制御される。その結果、ネットワーク負荷を増大させることなく、セルのトラフィックを効率的に分散することが可能となる。
【００５６】
上述した様に、実施例２に係る移動局１０によれば、ユーザによるトラフィック使用実績に応じた移動制御が可能となる。例えば、移動局１０は、使用頻度が低く、待受け時間の長い移動局を、通信レートは低いが連続待受け時間が長くなる別の通信方式を使用したセルにハンドオーバやセルリセレクションをさせるといった制御が可能となる。すなわち、実施例２では、移動局１０は、自局で測定された現在のトラフィック使用状況ではなく、過去のトラフィック使用状況（使用実績）を基にユーザレベルを決定し、そのレベルに応じてセル検出パラメータを可変させる。これにより、移動局１０は、データ通信中（接続中）のハンドオーバに限らず、データ通信を行っていない待受中に実行されるセルリセレクションのパラメータも、可変の対象とすることができる。
【００５７】
特に、セルリセレクション動作の場合には、ハンドオーバ動作と異なり、移動局１０は、ネットワーク側からの指示を待たずに、自律的に他セルへ移動することができる。このため、ネットワークの処理負荷の抑制に関し、より高い効果が得られる。
【００５８】
なお、上記実施例１では、移動局１０は、現在のトラフィック量を示す通信中の使用帯域を用いて、適用すべきセル検出パラメータを選択するものとした。しかしながら、かかる態様に限らず、移動局１０は、実施例１においても、過去のトラフィック量を示す通信実績（例えば、昨日１日当たりに送受信したパケット数）を用いて、セル検出パラメータを選択するものとしてもよい。また、移動局１０は、セル検出パラメータの決定に際して、現在及び過去のトラフィック量の内、何れか多い方または少ない方のトラフィック量を選択的に用いることもできる。更に、移動局１０は、現在及び過去のトラフィック量の平均値や合算値をとる等、２種類のトラフィック量を組み合わせて使用してもよい。その際、何れかのトラフィック量に対し重み付けを行ってもよい。これにより、移動局１０は、より自局の通信実態に即したトラフィック量を基に、正確なセル検出パラメータの選定、ひいてはセル間における高精度な移動制御を実現することが可能となる。
【００５９】
また、上記各実施例では、セル検出パラメータに設定された各電波強度閾値Ｔ１〜Ｔ１９の値として、−１２０ｄＢｍ、−１１０ｄＢｍと−１００ｄＢｍ、−９０ｄＢｍとを例示した。しかしながら、−１２０ｄＢｍ、−１１０ｄＢｍは、これらの値に限らず、移動局が、基地局との間に無線通信チャネルを検知可能な電波強度値であればよい。また、−１００ｄＢｍ、−９０ｄＢｍについても、これらの値に限らず、移動局が基地局との間で無線通信を維持可能な電波強度値であればよい。
【００６０】
更に、実施例１では、移動局１０は、現行の通信状況を基に、ハンドオーバの要否及びハンドオーバ先のセルを決定するものとした。実施例２では、移動局１０は、過去の通信実績を基にセルリセレクションの要否及びリセレクション先のセルを決定するものとした。しかしながら、これらの態様に限らず、移動局１０は、現在及び過去の通信状況から、以降のトラフィック量を予測し、該トラフィック量の大小に応じて、セル移動の要否及び移動先セルを可変的に決定するものとしてもよい。かかる態様では、例えば、現在のトラフィック量は比較的少ないが、数十分後に大量のトラフィックの発生が予定されている移動局は、収容量の少ないセルＣ１に移動（ハンドオーバ、セルリセレクション）しない制御を行う。これにより、一旦他セルへ移動した移動局１０による、短時間での在圏セルへの復帰（セル間でのばたつき）が未然に回避される。その結果、通信制御システム１の負荷が低減される。また、例えば、現在のトラフィック量は比較的少ないが、数秒〜数分後に大量のトラフィックの発生が予定されている移動局は、トラフィック量の増大に先立ち、収容量の多いセルＣ２に移動する制御を行う。これにより、収容量の少ないセルＣ１におけるトラフィックの急増に起因する無線リソースの枯渇が、確実に防止される。その結果、通信制御システム１の信頼性が向上する。
【００６１】
また、上記各実施例では、移動局１０は、基地局２０から送信される個別メッセージまたは報知情報により、セル検出パラメータを取得するものとした。しかしながら、移動局１０は、基地局２０のセルへの入圏に先立ち、セル検出パラメータをパラメータ保持部１４内に予め格納するものとしてもよい。上記各実施例では、移動局１０として、携帯電話、スマートフォン、Personal  Digital  Assistant（ＰＤＡ）等の無線通信端末を想定して説明したが、本発明は、移動局に限らず、ハンドオーバやセルリセレクションを実行可能な様々な通信機器に対して適用可能である。
【００６２】
更に、図１に示した移動局１０の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、トラフィック量測定部１２と電波強度測定部１５、あるいは、パラメータ決定部１３と制御部１６をそれぞれ１つの構成要素として統合してもよい。反対に、トラフィック量測定部１２に関し、現在実行中の通信におけるトラフィック量を測定する部分と、過去の通信におけるトラフィック量（通信実績）を測定する部分とに分散してもよい。また、制御部１６に関し、移動局１０がハンドオーバを実行する部分と、セルリセレクションを実行する部分とに分散してもよい。また、メモリ１０ｂを、移動局１０の外部装置としてネットワークやケーブル経由で接続する様にしてもよい。
【符号の説明】
【００６３】
１  通信制御システム
１０、３０、４０、５０  移動局
１０ａ  プロセッサ
１０ｂ  メモリ
１０ｃ  ＲＦ回路
１０ｄ  表示装置
１１  通信部
１２  トラフィック量測定部
１３  パラメータ決定部
１４  パラメータ保持部
１５  電波強度測定部
１６  制御部
２０  ３Ｇ基地局
２１  制御部
２２  通信部
２３  パラメータ管理部
６０  ＬＴＥ基地局
７０  無線ＬＡＮ基地局
１４１  セルＣ１での通信中のセル検出パラメータ
１４２  セルＣ２での通信中のセル検出パラメータ
１４３  セルＣ１での待受中のセル検出パラメータ
１４４  セルＣ２での待受中のセル検出パラメータ
Ａ  アンテナ
Ｃ１  ３Ｇセル
Ｃ２  ＬＴＥセル
Ｃ３  無線ＬＡＮエリア
【図１】
2014017622.tif 000003
【図２】
2014017622.tif 000004
【図３】
2014017622.tif 000005
【図４】
2014017622.tif 000006
【図５】
2014017622.tif 000007
【図６】
2014017622.tif 000008
【図７】
2014017622.tif 000009
【図８】
2014017622.tif 000010
【図９】
2014017622.tif 000011
【図１０】
2014017622.tif 000012